(57)【要約】【課題】  使用者の嗜好に適合しかつカバーの選択の幅を広げることができる車椅子用車輪カバーを提供する。【解決手段】  車椅子用車輪カバー１のカバー本体２は、その表面に装飾面３を設けかつ、この装飾面にスペース枠５ａを有するオーダー用装飾スペース５を設けてあり、カバー本体２が車輪側に取付け手段によって取付け可能であり、装飾面３は第１の装飾４を形成してあり、オーダー用装飾スペース５には使用者から提供される絵、イラスト、写真等の第２の装飾を付すことができるものである。【選択図】        図１
0003186717.tif 000002
【実用新案登録請求の範囲】
【請求項１】
表面に装飾面を設けかつ、この装飾面にオーダー用装飾スペースを設けてあるカバー本体を備えており、
上記カバー本体は車輪側に取付け手段によって取付け可能であり、
上記装飾面は第１の装飾を形成してあり、
上記オーダー用装飾スペースには使用者から選択される第２の装飾を付すことができるものである
ことを特徴とする車椅子用車輪カバー。
【請求項２】
装飾面は、装飾面パターンから選択可能であることを特徴とする請求項１記載の車椅子用車輪カバー。
【請求項３】
オーダー用装飾スペースはスペース枠を備えており、スペース枠の枠形状パターンから選択可能である請求項１又は請求項２記載の車椅子用車輪カバー。
【請求項４】
オーダー用装飾スペースは、複数設けてあることを特徴とする請求項４記載の車椅子用車輪カバー。
【請求項５】
第２の装飾は、使用者から提供されるものであることを特徴とする請求項１乃至請求項４のいずれかに記載の車椅子用車輪カバー。
【請求項６】
第２の装飾は、モデルから選択されるものであることを特徴とする請求項１乃至請求項４のいずれかに記載の車椅子用車輪カバー。
【請求項７】
カバー本体は、形態パターンから選択可能であることを特徴とする請求項１記載の車椅子用車輪カバー。
【考案の詳細な説明】
【技術分野】
【０００１】
この考案は車椅子用車輪のカバーに関するものである。
【背景技術】
【０００２】
従来、車輪の外側にスポークを覆うための車輪カバーを取り付けている車椅子が知られている（特開２００２−８５４６０号公報、特開２００３−７９６７０号公報及び特開２００３−１２７６０３号公報等）。
特開２００３−１２７６０３号公報に記載されている車椅子の車輪のスポークカバー装置（以下「従来例１」という。）は、スポークを覆うスポークカバーと、このスポークカバーを車輪のスポークに取り付けるための合成樹脂製のクリップと、上記スポークカバーとスポークとの間で圧縮される弾性ワッシャとを備えている。上記スポークカバーは円錐状に形成され、周辺部に複数の装着孔を形成してある。上記クリップは、装着孔を通じて先端部側のフランジによってスポークカバーを係止すると共に、後端部側の係止爪によってスポークに係止するものである。
特開２００２−８５４６０号公報に記載されている車椅子用車輪カバー（以下「従来例２」という。）は、カバーの中央の正面側が台形状に形成されているカバー本体の裏面中央部にリング状の磁石体を固定してあり、車輪の中央部にあってベアリングの中心軸を停止状態にナット頭部を支承してあり、このナット頭部と一体にフランジ部を設けてある。上記リング状の磁石体は中央に形成されている内孔部がナット頭部に嵌合できる内径としてあり、そして上記ナット頭部及びフランジ部に磁気力によってワンタッチで着脱することができる。このため、車輪に対してカバー本体を容易に着脱、交換ができる。また、従来例２においては、上記カバーの表面に様々な装飾を施すことにより、車椅子の美観を向上させ、使用者の個性を発揮させるものである。
特開２００３−７９６７０号公報に記載されている車椅子用車輪カバー（以下「従来例３」という。）は、従来例２と同様に、車輪カバーの裏面側の中央部にリング型磁性体を固着し、このリング型磁性体の内径を車輪中心部のセンターボルト頭部に嵌合できるサイズとして、ワンタッチ操作による着脱を可能にすると共に、カバー表面に絵模様を施して車椅子自体の見栄えを向上させることを目的とするものである。
【先行技術文献】
【特許文献】
【０００３】
【特許文献１】特開２００２−８５４６０号公報
【特許文献２】特開２００３−７９６７０号公報
【特許文献３】特開２００３−１２７６０３号公報
【考案の概要】
【考案が解決しようとする課題】
【０００４】
従来例２及び従来例３は、従来例１と比較してカバーの表面に装飾を施してある分だけ、見栄えが良く、商品価値が高まるものである。
現在の商品の流通分野において、需要者（使用者）の嗜好に合致すると共に、その選択の幅を広げるための様々な工夫がされており、このような観点から従来例２及び従来例３を観察すると、更なる改善の余地がある。
この考案の目的は、使用者の嗜好に適合しかつカバーの選択の幅を広げることができる車椅子用車輪カバーを提供することにある。
【課題を解決するための手段】
【０００５】
この考案に係る車椅子用車輪カバーは、表面に装飾面を設けかつ、この装飾面にオーダー用装飾スペースを設けてあるカバー本体を備えている。上記カバー本体は車輪側に取付け手段によって取付け可能である。上記装飾面は第１の装飾を形成してある。上記オーダー用装飾スペースには使用者から選択される第２の装飾を付すことができるものである。
上記第２の装飾の選択の範囲は、使用者から提供されるもの、既成の複数のモデルから選択されるものの双方を含む。購入時の選択の幅をより一層広げるために、カバー本体を形態パターンから選択可能とし、装飾面を装飾面パターンから選択可能とする。上記オーダー用装飾スペースがスペース枠を有するものにあっては、スペース枠を枠形状パターンから選択可能とする。上記オーダー用装飾スペースのスペース枠を複数設けてある。
【考案の効果】
【０００６】
この考案によれば、カバー本体がオーダー用装飾スペースを通じて、上記カバー本体のデザインを使用者自身が嗜好するものに加工することができるので、購入時や使用時における使用者の満足感が得られ、選択の幅が広がり、上記加工によってカバー本体の特徴が創出される結果、商品価値を高めることができる。
【図面の簡単な説明】
【０００７】
【図１】この考案に係る車椅子用車輪カバーを示す一部切欠正面図である。
【図２】図１の背面図である。
【図３】図１のＩＩＩ−ＩＩＩ線拡大断面図である。
【図４】この考案に係る車椅子用車輪カバーの使用状態を示す縮小正面図である。
【図５】この考案に係る車椅子用車輪カバーの取付け状態を示す断面図である。
【図６】この考案に係る車椅子用車輪カバーのカバー本体の形成過程を段階的に示す正面図である。
【図７】この考案に係る車椅子用車輪カバーに使用するカバー本体の形態パターンを縮小して示す図である。
【図８】この考案に係る車椅子用車輪カバーに使用する装飾面の装飾面パターンを縮小して示す正面図である。
【図９】この考案に係る車椅子用車輪カバーに使用する装飾面の装飾面パターンの他の例を縮小して示す正面図である。
【図１０】この考案に係る車椅子用車輪カバーに使用するオーダー用装飾スペースの標準の枠形状パターンを示す図である。
【図１１】この考案に係る車椅子用車輪カバーに使用するオーダー用装飾スペースの特殊の枠形状パターンを示す図である。
【図１２】この考案に係る車椅子用車輪カバーのカバー本体の他の例の形成過程を段階的に縮小して示す正面図である。
【図１３】この考案に係る車椅子用車輪カバーに使用するオーダー用装飾スペースに付する第２の装飾のモデルを示す図である。
【図１４】この考案に係る車椅子用車輪カバーに使用するオーダー用装飾スペースに付する第２の装飾の他のモデルを示す図である。
【図１５】この考案に係る車椅子用車輪カバーのカバー本体の他の例の形成過程を段階的に縮小して示す正面図である。
【図１６】この考案に係る車椅子用車輪カバーのカバー本体のさらに他の例の形成過程を段階的に縮小して示す正面図である。
【考案を実施するための形態】
【０００８】
この考案の車椅子用車輪カバーについて図１〜図６を参照して説明する。
図１に示す車椅子用車輪カバー１において、カバー本体２は表面に装飾面３を設けると共に、この装飾面にオーダー用装飾スペース５を設けてある。
【０００９】
図１〜図３において、カバー本体２の材質には合成樹脂、アルミ等の金属材、合成板等の部材が用いられており、カバー本体が図示の例では合成樹脂によって円錐状に成形されている。カバー本体２は中心部に中央孔２ａを開けてある。
【００１０】
図１及び図３において、装飾面３はカバー本体２の表面に施してある第１の装飾４を備えている。第１の装飾４には、絵、図柄その他の模様、文字及び色彩又はこれらの組み合わせが含まれ、そして、カバー本体２の表面に成形した凹凸模様も含まれる。さらに、上記色彩には、カバー本体２の表面の全面に施してある単一色又は混合色が含まれる。
また、カバー本体２の表面に装飾面３を設ける方法としては、上記表面に直接印刷する方法、上記装飾面をフィルム、シート又は紙で構成してこれらを上記表面に貼り付ける方法等適宜のものが用いられる。
図１に示す装飾面３の例にあっては、第１の装飾４が中央孔２ａに連続しかつこの中央孔と同径同形の孔３ａを囲む複数の花柄模様からなり、花柄模様をプリントしたフィルムをカバー本体２の表面全面に貼り付けている。
【００１１】
図１及び図４に示すオーダー用装飾スペース５には、使用者（又は購入者）が選択した第２の装飾６（図４）を施すことができるものである。第２の装飾６には、使用者から提供された絵、図柄、デッサン、イラスト、写真、画像、文字等が含まれる。提供方法には郵便、ファクシミリ、電子メール等の通信手段を利用するものが含まれる。
オーダー用装飾スペース５のスペース枠５ａの枠形状は適宜であるが、図１に示す例にあっては円形としている。
また、オーダー用装飾スペース５に第２の装飾６を付する方法としては、使用者が筆記具を用いてオーダー用装飾スペースに第２の装飾を直接付する方法、第２の装飾を上記オーダー用装飾スペースの表面に直接印刷する方法、上記第２の装飾をフィルム、シート又は紙に施してこれらを上記表面に貼り付ける方法等適宜のものが用いられる。
【００１２】
図４及び図５に示すように、カバー本体２は車椅子７の車輪８側に取付け手段である複数の止め具９によって取り付けられている。
各止め具９の先端の止め板部はカバー本体２の背面にその外周側に接着手段によって固着され、後端のフック部は車輪８のスポーク８ａに係止されている。カバー本体２は、各止め具９を介して車輪８にその正面側にスポーク８ａを被覆した状態で取り付けられる。
図５において、８ｂは車軸、８ｃは軸受け、８ｄはリム及び１０はハンドリムである。
【００１３】
車椅子用車輪カバー１の使用方法を図４〜図６を参照して説明する。
図６（ア）に示すカバー本体２のオーダー用装飾スペース５に、使用者（又は購入者）が提供した同図（イ）に示す第２の装飾６（図示の例では木に咲いている梅の花）を適宜の方法によって付する。このことによってカバー本体２が完成される。
その後、図４及び図５に示すように、カバー本体２を車椅子７の車輪８側にスポーク８ａと複数の止め具９によって取り付ける。
【００１４】
車椅子用車輪カバー１のデザインを使用者自身の好みに加工し、美的特徴を付加することによって使用時（又は購入時）における使用者の満足感を高める方法として、カバー本体の装飾形態を図７に示す形態パターン１１から選択する。形態パターンとして、図７では４種が例示されている。
図７（ア）に示す形態にあっては、図１に示すカバー本体２の形態に対応している。
図７（イ）に示すカバー本体２Ａ１の形態にあっては、装飾面３の第１の装飾４を葉模様とし、オーダー用装飾スペース５のスペース枠５ａの枠形状をチューリップ形としている。
図７（ウ）に示すカバー本体２Ａ２の形態にあっては、装飾面３の第１の装飾４を格子模様とし、オーダー用装飾スペース５のスペース枠５ａの枠形状をハート形としている。
図７（エ）に示すカバー本体２Ａ３の形態にあっては、装飾面３の第１の装飾４を一色とし、オーダー用装飾スペース５のスペース枠５ａの枠形状を長円形とし、長円形を円周方向に等間隔をおいて複数配置している。
【００１５】
図７に示す形態パターン１１において、装飾面３とオーダー用装飾スペース５のスペース枠５ａの枠形状との組み合わせが設定されているので、使用者の選択の幅をさらに広げるために、図８及び図９に示す例では、装飾面を例えば装飾面パターン１２，１３の各装飾面３，３Ａ１，３Ａ２，３Ａ３，３Ａ４，３Ａ５，３Ａ６，３Ａ７から選択することができるようにしている。
図８の装飾面パターン１２において、同図（ア）の装飾面３の第１の装飾４は図１に示す装飾面の第１の装飾とし、同図（イ）の装飾面３Ａ１の第１の装飾は葉模様とし、同図（ウ）の装飾面３Ａ２の第１の装飾は格子模様とし、同図（エ）の装飾面３Ａ３の第１の装飾は一色模様としている。また、図９の装飾面パターン１３において、同図（ア）の装飾面３Ａ４の第１の装飾４は同心円状のリング模様とし、同図（イ）の装飾面３Ａ５の第１の装飾は魚模様とし、同図（ウ）の装飾面３Ａ６の第１の装飾は多数の文字による模様とし、同図（エ）の装飾面３Ａ７の第１の装飾は渦巻模様としている。
選択の範囲を拡大するためには、図８及び図９に示す装飾面パターン１２，１３に限定せず、可能な限り多数の装飾面パターンを用意しておくのが良い。
【００１６】
使用者は、第１の装飾４を有する装飾面３，３Ａ１〜３Ａ７のデザインに合わせるために、オーダー用装飾スペース５のスペース枠５ａの枠形状を選択可能にするのが良い。
図１０及び図１１に示す例にあっては、オーダー用装飾スペース５のスペース枠５ａを枠形状パターン１４，１５から選択可能にしている。図１０に示す枠形状パターン１４は円、半円、長円（楕円）等の標準の枠形状パターンからなる。図１１に示す枠形状パターン１５は三つ葉クローバー形、ひまわり形、チューリップ形等の特殊な枠形状パターンからなる。
これらの枠形状パターン１４，１５は図１０及び図１１に示す例に限られず、可能な限り多数選択可能にするのが良い。
【００１７】
使用者が前記装飾面パターン１２，１３から装飾面を特定し、オーダー用装飾スペース５の枠形状を枠形状パターン１４，１５から特定してカバー本体２を形成する方法について図１２を参照して説明する。
図１２（ア）の段階では、装飾面パターン１２（図８）から選択した図８（イ）に示す葉模様の第１の装飾４を有する装飾面３Ａ１をカバー本体２Ａ１の表面に付する。
その後、図１２（イ）の段階では、枠形状パターン１５（図１１）から選択したチューリップ形のスペース枠５ａを有するオーダー用装飾スペース５を装飾面３Ａ１に設定する。
設定後、図１２（ウ）に示すように、オーダー用装飾スペース５に使用者から提供された第２の装飾６を付することによって車椅子用車輪カバー１が完成される。
【００１８】  オーダー用装飾スペース５は、スペース枠５ａを備えているもの（図１）と、後述の図１４に示す例のようなスペース枠を設けていないものとを含む。  また、オーダー用装飾スペース５に付する第２の装飾は、図６に示す第２の装飾６のように使用者から提供されたものの他に、使用者が図１３及び図１４に示すモデル１６，１７から選択するものを含む。  図１３に示すモデル１６は、写真やイラスト等による動物、植物又は風景等、漫画のキャラクター等があり、これらはオーダー用装飾スペース５のスペース枠５ａがあればその枠内に、スペース枠がない場合にはオーダー用装飾スペース内に付する。また、図１４に示すモデル１７は単に文字のみからなるもの、文字と図形の組み合わせたものであり、これらはスペース枠５ａのないオーダー用装飾スペース５に付する。  図１４において、同図（ア）の第２の装飾６Ａ１は上側の文字（公序良俗違反につき、不掲載）と下側の文字（公序良俗違反につき、不掲載）と十字の図形の組み合わせとしている。図１４（イ）の第２の装飾６Ａ２は上下に両側の文字（公序良俗違反につき、不掲載）からなる。図１４（ウ）の第２の装飾６Ａ３は文字（公序良俗違反につき、不掲載）からなり、同図（エ）の第２の装飾６Ａ４は文字（公序良俗違反につき、不掲載）と星形の図形とをリング状に連続して構成しているものである。これらの第２の装飾６Ａ１〜６Ａ４が付されるオーダー用装飾スペース５は装飾面３の表面の全面である。
【００１９】
使用者が前記装飾面パターン１２，１３から装飾面を特定し、オーダー用装飾スペース５に付するモデル１６，１７から第２の装飾を選択してカバー本体２を形成する方法に関する２例を図１５及び図１６を参照して説明する。
図１５に示す例において、同図（ア）の過程では装飾面パターン１２（図８）から選択した図８（エ）に示す一色の模様の第１の装飾４を有する装飾面３Ａ３をカバー本体２の表面に付する。この段階では、第１の装飾４は装飾面３Ａ３の表面に重なるから、オーダー用装飾スペース５はカバー本体２の表面の装飾面３Ａ３の表面上になる。
その後、図１５（イ）の過程ではモデル１７（図１４）から選択した第２の装飾６Ａ１｛図１４（ア）｝を装飾面３Ａ３の面上に付する。この結果、オーダー用装飾スペース５に使用者から選択された第２の装飾６Ａ１が付されたカバー本体２を備える車椅子用車輪カバー１が完成される。
図１６に示す例において、同図（ア）の過程では装飾面パターン１３（図９）から選択した図９（ア）に示すリング模様の第１の装飾４を有する装飾面３Ａ４をカバー本体２の表面に付する。この段階では、第１の装飾４は装飾面３Ａ４の表面に重なるから、オーダー用装飾スペース５はカバー本体２の表面の装飾面３Ａ４の表面上になる。
その後、図１６（イ）の過程ではモデル１７（図１４）から選択した第２の装飾６Ａ４｛図１４（エ）｝を装飾面３Ａ４の面上（図示の例では中間のリング内）に付する。オーダー用装飾スペース５に使用者から選択された第２の装飾６Ａ４が付されたカバー本体２を備える車椅子用車輪カバー１が完成される。
【００２０】
オーダー用装飾スペース５に付する第２の装飾を図１３に示すモデル１６から、そして図１４に示すモデル１７から選択する例では、各モデルが既設のものであることから、使用者から提供される図６に示す例と比較して使用者の嗜好の適合性の点ではやや劣るものの、例えば提供が面倒であるとする使用者、迅速性を望む使用者、モデルが最良と考える使用者等にとっては受け入れやすい。
また、オーダー用装飾スペース５に付する第２の装飾６，６Ａ１〜６Ａ４を各装飾面３，３Ａ１〜３Ａ７のデザインに応じて選択し、またスペース枠５ａを有するものはその枠形状、その設置数及び設置個所を選択する。
このような選択によって、使用者にとって、選択の範囲が広がり、さらに各装飾面３，３Ａ１〜３Ａ７の装飾並びにオーダー用装飾スペース５の枠形状及び設置数を使用者の嗜好に合わせることができるので、使用者が希望する車椅子用車輪カバー１のデザインに近づけることができ、使用者の個性を車椅子用車輪カバーにおける美的特徴として発揮でき、使用者にとって高い満足感が得られる。
【００２１】
図１に示す車椅子用車輪カバー１によれば、オーダー用装飾スペース５には使用者の提供する好みの絵、写真等の第２の装飾６（図４）を施すことができるので、使用者がカバー本体２の装飾の形成加工に主体的かつ積極的に関与することができる。このため、使用者の嗜好に適合しかつ車椅子用車輪カバー１の選択の幅を広げることができる。
そして、形態に関して、図７に示す例によれば、形態パターン１１から形態の異なるカバー本体２，２Ａ１，２Ａ２，２Ａ３を選択可能であるので、使用者による車椅子用車輪カバー１の選択の幅がより一層広がる。
装飾面に関して、図８及び図９に示す例によれば、装飾面パターン１２，１３から異なる装飾面３，３Ａ１〜３Ａ７を選択することができるので、カバー本体を使用者の好みに合わせることができ、商品の選択の際の満足感を高めることができる。
また、枠形状に関して、図１０及び図１１に示す例によれば、使用者は枠形状パターン１４，１５から異なるオーダー用装飾スペース５のスペース枠５ａの枠形状を選択可能であるので、枠形状を装飾面パターン１２，１３及び第２の装飾６，６Ａ１〜６Ａ４の双方又は一方のデザインに合わせることができ、装飾面３，３Ａ１〜３Ａ７の装飾及び第２の装飾６，６Ａ１〜６Ａ４が引き立ち、カバー本体２，２Ａ１〜２Ａ３の特徴を発揮しやすくなるから、車椅子用車輪カバーのデザインに対する使用者の嗜好性の向上に役立つ。
【００２２】
形態パターン１１、装飾面パターン１２，１３、枠形状パターン１４，１５及びモデル１６，１７は図示するものに限定されない。
車椅子用車輪カバー１の取付け方法は図４及び図５に示すものに限定されない。例えば、従来例１のように、カバー本体２，２Ａ１，２Ａ２，２Ａ３の外周側に止め具用の挿通孔を開けて、この挿通孔を通じて車輪に取り付けるようにしても良い。
【符号の説明】
【００２３】
１                                車椅子用車輪カバー
２                                カバー本体
２Ａ１，２Ａ２，２Ａ３            カバー本体
３                                装飾面
３Ａ１，３Ａ２，３Ａ３            装飾面
３Ａ４，３Ａ５，３Ａ６，３Ａ７    装飾面
４                                第１の装飾
５                                オーダー用装飾スペース
５ａ                              スペース枠
６                                第２の装飾
６Ａ１，６Ａ２，６Ａ３，６Ａ４    第２の装飾
７                                車椅子
８                                車輪
８ａ                              スポーク
９                                止め具（取付け手段）
１１                              形態パターン
１２，１３                        装飾面パターン
１４，１５                        枠形状パターン
１６，１７                        モデル
【図１】
0003186717.tif 000003
【図２】
0003186717.tif 000004
【図３】
0003186717.tif 000005
【図４】
0003186717.tif 000006
【図５】
0003186717.tif 000007
【図６】
0003186717.tif 000008
【図７】
0003186717.tif 000009
【図８】
0003186717.tif 000010
【図９】
0003186717.tif 000011
【図１０】
0003186717.tif 000012
【図１１】
0003186717.tif 000013
【図１２】
0003186717.tif 000014
【図１３】
0003186717.tif 000015
【図１４】
0003186717.tif 000016
【図１５】
0003186717.tif 000017
【図１６】
0003186717.tif 000018
【手続補正書】
【提出日】平成25年8月19日(2013.8.19)
【手続補正１】
【補正対象書類名】実用新案登録請求の範囲
【補正対象項目名】請求項４
【補正方法】変更
【補正の内容】
【請求項４】
オーダー用装飾スペースは、複数設けてあることを特徴とする請求項１乃至請求項３のいずれかに記載の車椅子用車輪カバー。
【手続補正２】
【補正対象書類名】明細書
【補正対象項目名】００１８
【補正方法】変更
【補正の内容】
【００１８】
オーダー用装飾スペース５は、スペース枠５ａを備えているもの（図１）と、後述の図１４に示す例のようなスペース枠を設けていないものとを含む。
また、オーダー用装飾スペース５に付する第２の装飾は、図６に示す第２の装飾６のように使用者から提供されたものの他に、使用者が図１３及び図１４に示すモデル１６，１７から選択するものを含む。
図１３に示すモデル１６は、写真やイラスト等による動物、植物又は風景等、漫画のキャラクター等があり、これらはオーダー用装飾スペース５のスペース枠５ａがあればその枠内に、スペース枠がない場合にはオーダー用装飾スペース内に付する。また、図１４に示すモデル１７は単に文字のみからなるもの、文字と図形の組み合わせたものであり、これらはスペース枠５ａのないオーダー用装飾スペース５に付する。
図１４において、同図（ア）の第２の装飾６Ａ１は上側の文字「○○電機病院」と下側の文字「ＡＢ」と十字の図形の組み合わせとしている。図１４（イ）の第２の装飾６Ａ２は上下に両側の文字「○○電機病院」からなる。図１４（ウ）の第２の装飾６Ａ３は文字「○○老人ホーム」からなり、同図（エ）の第２の装飾６Ａ４は文字「○○老人ホーム」と星形の図形とをリング状に連続して構成しているものである。これらの第２の装飾６Ａ１〜６Ａ４が付されるオーダー用装飾スペース５は装飾面３の表面の全面である。
【手続補正３】
【補正対象書類名】図面
【補正対象項目名】図９
【補正方法】変更
【補正の内容】
【図９】
0003186717.tif 000019
【手続補正４】
【補正対象書類名】図面
【補正対象項目名】図１４
【補正方法】変更
【補正の内容】
【図１４】
0003186717.tif 000020
【手続補正５】
【補正対象書類名】図面
【補正対象項目名】図１５
【補正方法】変更
【補正の内容】
【図１５】
0003186717.tif 000021
【手続補正６】
【補正対象書類名】図面
【補正対象項目名】図１６
【補正方法】変更
【補正の内容】
【図１６】
0003186717.tif 000022